(57)【特許請求の範囲】
【請求項１】
コネクタハウジングに設けられたキャビティ内には、相手の雄側端子金具のタブと嵌合接続される筒形の接続部を備えた雌側端子金具が挿入され、この雌側端子金具が前記キャビティの側面側から差し込まれたリテーナにより抜け止めされるようにしたコネクタにおいて、
前記接続部内には、前記タブとの接触片が前記接続部の底面側に位置しかつ前記接続部の後方から前方へ向けて延出する一方、前記キャビティは上下に配されるとともに、上下のキャビティは背中合わせの対称形状に形成されることで、前記雌側端子金具が上下で背中合わせの姿勢で挿入されるようになっており、
前記リテーナには前記キャビティの前面に配される前止まり板が一体的に設けられ、この前止まり板には前記雄側端子金具の前記タブが挿入可能でかつ導通チェック用の検査棒を前方から挿通可能な端子挿入口が開口され、かつ前記前止まり板が前記リテーナの差し込みに伴って所定の検査位置に移動した場合に、前記端子挿入口は前記キャビティの前面のうち左右方向に関する一方側領域のみを開口させることで、前記端子挿入口を通して前記検査棒を挿通させたときに、この検査棒が前記雌側端子金具の前記接続部の前縁のうちの一方の側縁に当接可能であることを特徴とするコネクタ。
【請求項２】
前記リテーナが、雌側端子金具の挿抜を許容すべく後退した仮係止位置と、前記雌側端子金具の抜け止めに機能すべく前進した本係止位置とでそれぞれ保持可能となっているとともに、前記仮係止位置が前記検査位置であり、前記リテーナが前記仮係止位置にある場合には前記端子挿入口が前記キャビティの前面の一部と対応する一方、前記本係止位置にある場合には前記端子挿入口が前記キャビティの前面と整合するようになっていることを特徴とする請求項１記載のコネクタ。
【請求項３】
コネクタハウジングに設けられたキャビティ内には相手の雄側端子金具のタブと嵌合接続される筒形の接続部を備えた雌側端子金具が挿入されるコネクタにおいて、前記雌側端子金具が前記キャビティ内に正規に挿入されているか否かを導通チェック用の検査棒を用いて検査する方法であって、
前記接続部内には、前記タブとの接触片が前記接続部の底面側に位置しかつ前記接続部の後方から前方へ向けて延出する一方、前記キャビティは上下に配されるとともに、上下のキャビティは背中合わせの対称形状に形成されることで、前記雌側端子金具が上下で背中合わせの姿勢で挿入されるようになっており、
前記コネクタハウジングの前面には、前記検査棒を前方から挿通可能な端子挿入口が開口された前止まり板が、前記雌側端子金具の挿入方向と直交する方向の移動可能に設けられ、前記前止まり板が所定の検査位置に移動したときには、前記端子挿入口は前記キャビティの前面のうち左右方向に関する一方側領域のみを開口させるようになっており、この端子挿入口を通して前記検査棒を挿通させて、前記雌側端子金具の前記接続部の前縁のうちの一方の側縁に当接させることを特徴とするコネクタにおける導通検査方法。
【発明の詳細な説明】
【０００１】
【発明の属する技術分野】
本発明は、コネクタ及びコネクタにおける導通検査方法に関する。
【０００２】
【従来の技術】
雌コネクタは一般に、雌側のコネクタハウジングに設けられたキャビティ内に、相手の雄側端子金具のタブと嵌合接続される筒形の接続部を備えた雌側端子金具が挿入され、この雌側端子金具が例えばキャビティの側面側から差し込まれたリテーナにより抜け止めされるようになっている。ここで特に多極のコネクタでは、各雌側端子金具が正規のキャビティに収容されているか否かを検査するために、各雌側端子金具に検査プローブを当てるようにしている。
具体的には、キャビティの前面に開口されたタブ挿入用の端子挿入口からプローブを挿入し、雌側端子金具の接続部内に差し込んでその接続部内に配された弾性接触片の一部に当てるようになっている。なお、このようなプローブを用いて導通検査を行うものは、例えば特開平１１−４５７６１号公報に記載されている。
【０００３】
【発明が解決しようとする課題】
ところで上記したプローブは、検査用の治具等に装備されてレバー操作により進退駆動されるようになっており、プローブの進入ストロークは決められているのであるが、何らかの都合でプローブが深く入り過ぎたりすると、弾性接触片が過度に撓み変形してへたり等が生じるおそれがあった。
本発明は上記のような事情に基づいて完成されたものであって、その目的は、導通検査時に雌側端子金具に損傷を与えること等を防止するところにある。
【０００４】
【課題を解決するための手段】
上記の目的を達成するための手段として、請求項１の発明は、コネクタハウジングに設けられたキャビティ内には、相手の雄側端子金具のタブと嵌合接続される筒形の接続部を備えた雌側端子金具が挿入され、この雌側端子金具が前記キャビティの側面側から差し込まれたリテーナにより抜け止めされるようにしたコネクタにおいて、前記接続部内には、前記タブとの接触片が前記接続部の底面側に位置しかつ前記接続部の後方から前方へ向けて延出する一方、前記キャビティは上下に配されるとともに、上下のキャビティは背中合わせの対称形状に形成されることで、前記雌側端子金具が上下で背中合わせの姿勢で挿入されるようになっており、前記リテーナには前記キャビティの前面に配される前止まり板が一体的に設けられ、この前止まり板には前記雄側端子金具の前記タブが挿入可能でかつ導通チェック用の検査棒を前方から挿通可能な端子挿入口が開口され、かつ前記前止まり板が前記リテーナの差し込みに伴って所定の検査位置に移動した場合に、前記端子挿入口は前記キャビティの前面のうち左右方向に関する一方側領域のみを開口させることで、前記端子挿入口を通して前記検査棒を挿通させたときに、この検査棒が前記雌側端子金具の前記接続部の前縁のうちの一方の側縁に当接可能であるところに特徴を有する。
【０００５】
請求項２の発明は、請求項１に記載のものにおいて、前記リテーナが、雌側端子金具の挿抜を許容すべく後退した仮係止位置と、前記雌側端子金具の抜け止めに機能すべく前進した本係止位置とでそれぞれ保持可能となっているとともに、前記仮係止位置が前記検査位置であり、前記リテーナが前記仮係止位置にある場合には前記端子挿入口が前記キャビティの前面の一部と対応する一方、前記本係止位置にある場合には前記端子挿入口が前記キャビティの前面と整合するようになっているところに特徴を有する。
【０００６】
また請求項３の発明は、コネクタハウジングに設けられたキャビティ内には相手の雄側端子金具のタブと嵌合接続される筒形の接続部を備えた雌側端子金具が挿入されるコネクタにおいて、前記雌側端子金具が前記キャビティ内に正規に挿入されているか否かを導通チェック用の検査棒を用いて検査する方法であって、前記接続部内には、前記タブとの接触片が前記接続部の底面側に位置しかつ前記接続部の後方から前方へ向けて延出する一方、前記キャビティは上下に配されるとともに、上下のキャビティは背中合わせの対称形状に形成されることで、前記雌側端子金具が上下で背中合わせの姿勢で挿入されるようになっており、前記コネクタハウジングの前面には、前記検査棒を前方から挿通可能な端子挿入口が開口された前止まり板が、前記雌側端子金具の挿入方向と直交する方向の移動可能に設けられ、前記前止まり板が所定の検査位置に移動したときには、前記端子挿入口は前記キャビティの前面のうち左右方向に関する一方側領域のみを開口させるようになっており、この端子挿入口を通して前記検査棒を挿通させて、前記雌側端子金具の前記接続部の前縁のうちの一方の側縁に当接させる
ところに特徴を有する。
【０００７】
【発明の作用及び効果】
＜請求項１及び請求項３の発明＞
導通検査を行う場合には、前止まり板を検査位置に持ち来す。ここで、端子挿入口には雌側端子金具の接続部の前縁における一部が臨んでいるから、検査棒が端子挿入口に挿入された場合に、接続部の前縁の一部に突き当たる。その結果、検査棒が接続部内に入り込むことが規制され、接続部内に配された弾性接触片等に損傷を与えることが防止される。
【０００８】
＜請求項２の発明＞
リテーナが仮係止位置にある状態で雌側端子金具がキャビティ内に挿入され、それに続いて導通検査が行われる。ここで、前止まり板の端子挿入口にはキャビティの前面の一部、言い換えると雌側端子金具の接続部の前縁における一部が臨んでいるから、検査棒が端子挿入口に挿入された場合に接続部の前縁の一部に突き当たり、接続部内に過度に入り込むことが規制される。
検査終了後にリテーナが本係止位置に移動されると、雌側端子金具が抜け止め状態に係止される一方、端子挿入口がキャビティの前面と整合して、相手の雄側端子金具のタブを接続部内に導入することが可能となる。
【０００９】
【発明の実施の形態】
以下、本発明の一実施形態を図１ないし図２１に基づいて説明する。
この実施形態では、雌側の防水コネクタを例示している。この防水コネクタは大まかには、図１に示すように、ハウジング２０とフード６０との２ピースからなり、ハウジング２０には相手の雄側のコネクタとの間をシールするパッキン３４と、一括型のゴム栓３０と、挿入された雌側端子金具１０を抜け止め状態に二重係止するリテーナ４０とが装着されている。
【００１０】
雌側端子金具１０は、図２，３及び図１６等に示すように、相手の雄側端子金具のタブとの接触片１１を内部に収容したほぼ角筒状の接続部１２を有しており、後端に設けられたバレル１３をかしめることで電線Ｗの端末に固着されている。接続部１２の上面の幅方向の一側には、一段高くなったスタビライザ１４が形成されているとともに、同上面の後縁のアゴ部１５には、ランス２２が係止可能となっている。また、同上面の先端寄りの位置には、リテーナ４０の突起４６が嵌合可能な被係止溝１６が側面に開口して形成されている。
【００１１】
ハウジング２０は合成樹脂製であって、図４ないし図９にも示すように、前後方向にやや細長くて後端側が一回り大きくなったブロック状に形成され、その内部には、上記の雌側端子金具１０を収容する前後方向を向いたキャビティ２１が、４個ずつ横方向に並びまた上下２段に分かれて形成されている。キャビティ２１は上下で背中合わせの対称に形成され、図１に示すように、上段のキャビティ２１では天井面に、下段のキャビティ２１では底面に、それぞれランス２２が上方または下方の撓み空間２３に向けて撓み変形可能に設けられている。
【００１２】
ハウジング２０の後面には、一括型のゴム栓３０が装着されるようになっている。このゴム栓３０は、図１０にも示すように、全キャビティ２１の入口にわたって覆うことができるような正面略方形で厚肉状に形成されている。ゴム栓３０には、電線Ｗを緊密に挿通可能な電線挿通孔３１が、キャビティ２１の配列と対応して形成されている。
また、電線挿通孔３１の口縁には、上記した雌側端子金具１０の挿入姿勢を合わせるため、詳細には雌側端子金具１０に設けられたスタビライザ１４に合わせる目印３２が凹み形成されている。この目印３２は、図１０に示すように、上段の電線挿通孔３１については右上の位置に、下段の電線挿通孔３１については左下の位置に来るように設定されている。なお、目印３２は表裏両面に設けられているが、ゴム栓３０が表裏いずれの向きで装着しても良いように形成されている。
そしてハウジング２０の後面には、上記のゴム栓３０を緊密に嵌着して収容するゴム栓収容凹部２５が、各キャビティ２１の後端（入口）と連通して形成されている。
【００１３】
ハウジング２０における段差部の前方位置の外周には、相手の雄ハウジング（図示せず）との間をシールするパッキン３４の嵌着位置３５が設定されている。このパッキン３４の嵌着位置３５の前方にリテーナ４０が装着されるようになっている。リテーナ４０は合成樹脂材により形成され、図１及び図１１，１２に示すように、ハウジング２０の前端部における前面を覆う前止まり板４１と、正面から見た左側面を覆う側板４２と、上下の面を覆う上面板４３Ａ及び下面板４３Ｂとを備えている。前止まり板４１は、キャビティ２１に挿入された雌側端子金具１０を前止まりさせるように機能する一方、雄側端子金具のタブを挿入可能な端子挿入口４４が、各キャビティ２１と対応した配置で開口されている。
【００１４】
前止まり板４１の裏面における上面板４３Ａと下面板４３Ｂから所定寸法内方に入った位置には、上段のキャビティ２１の天井壁の前端部と、下段のキャビティ２１の底壁の前端部とをそれぞれ構成する天井壁板４５Ａと底壁板４５Ｂとが突設されている。これらの天井壁板４５Ａと底壁板４５Ｂにおける内面側には、その奥行き方向の中央部において、端子挿入口４４の形成位置と対応した位置ごとに、４個ずつの突起４６が形成されている。各突起４６は、上記した雌側端子金具１０の被係止溝１６に側方から進入可能となっている。
【００１５】
それに対して、ハウジング２０の一方の側面（正面から見た左側面）からは、図４に示すように、上記のリテーナ４０が挿入されるリテーナ挿入孔２６が、反対側の側面に貫通して形成されている。このリテーナ挿入孔２６は、リテーナ４０の天井壁板４５Ａと底壁板４５Ｂとをそれぞれ挿通する上下の挿通溝２７を有している。上側の挿通溝２７の下面と、下側の挿通溝２７の上面とには、それぞれ突起４６を挿通可能とする突起挿通溝２８が形成されており、詳細には各突起挿通溝２８は、上段のキャビティ２１の天井面と、下段のキャビティ２１の底面の所定位置、すなわち雌側端子金具１０が正規挿入された場合の被係止溝１６と対応する位置をそれぞれに貫通するようにして形成されている。
【００１６】
ハウジング２０の前端側における上面と下面とには、図５に示すように、左右方向を向いたリブ５０が形成される一方、リテーナ４０の上面板４３Ａと下面板４３Ｂとの内面には、図１に示すように、その奥方位置にリブ５０を挿通可能な左右方向を向いたガイド溝５１が形成されている。
したがってリテーナ４０は、前止まり板４１をハウジング２０の前面に沿わせ、上面板４３Ａと下面板４３Ｂとを挿通溝２７に挿通し、またガイド溝５１にリブ５０を挿通させつつ、ハウジング２０の正面から見た左側面から差し込み装着されるようになっている。このときリテーナ４０の突起４６は、突起挿通溝２８に挿通される。
【００１７】
ハウジング２０における上面と下面には、正面から見た右側の位置でリブ５０の奥側において、図９に示すように、仮係止突条５２と本係止突条５３とが左右に間隔を開けて突設されている。一方、リテーナ４０の上面板４３Ａと下面板４３Ｂの内面における正面から見た右寄りの位置には、上記の仮係止突条５２と本係止突条５３とが嵌合可能なロック溝５４が形成されている（図１２参照）。なお、ロック溝５４の両側には、仮係止突条５２と本係止突条５３とを嵌めて逃がす逃がし溝５５が形成されている。
【００１８】
リテーナ挿入孔２６にリテーナ４０が挿入されると、まず仮係止突条５２がロック溝５４に嵌まって、仮係止位置に保持される（図２０参照）。リテーナ４０が仮係止位置にあるときには、同図に参照して示すように、前止まり板４１の各端子挿入口４４が左側にずれて、対応するキャビティ２１の前面のうちの左側の領域のみが開口されるようになっている。また各突起４６は、対応するキャビティ２１の左側に退避した状態にある。
【００１９】
リテーナ４０が仮係止位置からさらに押し込まれると、本係止突条５３がロック溝５４に嵌まって、本係止位置に保持される（図２１参照）。この本係止位置では、リテーナ４０の左側板４２が、ハウジング２０の後端部の出っ張った左側面とほぼ面一に収まる。また、前止まり板４１の各端子挿入口４４が対応するキャビティ２１の前面と整合し、また、各突起４６が対応するキャビティ２１内に進入するようになっている。
また、リテーナ４０の前止まり板４１の表面には、図１１に示すように、しぼ面４８が形成されている。しぼ面４８とは凹凸のある粗い面を示す。このようなしぼ面４８は、リテーナ４０の成形型において前止まり板４１の表面を成形する成形面にしぼ地を形成することで成形される。
【００２０】
フード６０は同じく合成樹脂製であって、図１及び図１３，１４にも示すように、上記したハウジング２０の回りを覆うような角筒状に形成され、その後端部は、ハウジング２０の後端部の外周に緊密に嵌まる縮径部６１が形成されている。この縮径部６１の後面には、ゴム栓押さえ６２が張られている。ゴム栓押さえ６２には、雌側端子金具１０を挿通可能な窓孔６３が、キャビティ２１と対応して整列して形成されている。
なおフード６０の上面の幅方向の中央位置には、相手の雄ハウジングとの間を嵌合状態にロックするためのロックアーム６４が設けられている。
【００２１】
上記したハウジング２０の四面の後縁には、それぞれ幅方向の中央部において、係止突部６５が突設されている。各係止突部６５の後面側はテーパ状とされている。
一方、フード６０の縮径部６１の四面には、上記した各係止突部６５が嵌合可能な係止溝６６が形成されている。ハウジング２０の後面がゴム栓押さえ６２に当たるまで縮径部６１内に嵌合されたところで、係止突部６５が係止溝６６に嵌合する設定となっている。なお、係止溝６６の手前側には浅い逃がし溝６７が形成されており、その間の乗り越え部６８にはテーパが付されている。
【００２２】
続いて、本実施形態の作用を説明する。組み付けの手順の一例としては、まずパッキン３４がハウジング２０の嵌着位置３５に嵌着されるとともに、ゴム栓収容凹部２５内に一括型のゴム栓３０が嵌められる。次に、リテーナ挿入孔２６にリテーナ４０が正面から見た左側面側から挿入され、仮係止位置に組み付けられる。この状態では、リテーナ４０の前止まり板４１の各端子挿入口４４に対して、キャビティ２１の前面のうちの左半分の領域のみが開口され、また各突起４６は、対応するキャビティ２１の左側に退避している。また、リテーナ４０がパッキン３４の外れ止めとして機能する。
【００２３】
上記のようにハウジング２０に対してパッキン３４とゴム栓３０とが装着され、またリテーナ４０が仮係止位置に組み付けられたら、図１５に示すように、ハウジング２０の後端部が、フード６０内に前方から挿入される。ハウジング２０は、係止突部６５が逃がし溝６７を摺動しつつ押し込まれ、その後端面がフード６０のゴム栓押さえ６２に当たるまで押し込まれたら、各係止突部６５が乗り越え部６８を乗り越えて、図１６及び図１７に示すように対応する係止溝６６に嵌まり、ハウジング２０とフード６０とが一体に組み付けられる。併せて、ゴム栓押さえ６２によりゴム栓３０が抜け止め状態に保持される。係る状態で端子挿入現場へ搬入される。
【００２４】
端子挿入現場では、図１６に示すように、雌側端子金具１０が上下で背中合わせの姿勢にされて、ゴム栓押さえ６２の窓孔６３を通して対応するキャビティ２１内に挿入される。雌側端子金具１０は詳細には、上段では、スタビライザ１４が挿入方向の後方から見て右上に来る姿勢を、下段では、スタビライザ１４が同左下に来る姿勢をそれぞれ取る必要がある。そこで図１８に示すように、ゴム栓押さえ６２の窓孔６３を通して電線挿通孔３１の口縁に設けられた目印３２が目視でき、上段の電線挿通孔３１については右上の位置に目印３２が、下段の電線挿通孔３１については左下の位置に目印３２があるから、その目印３２にスタビライザ１４の位置を合わせることで、雌側端子金具１０は自ずから正規の姿勢で挿入することができる。
【００２５】
雌側端子金具１０は窓孔６３からゴム栓３０の電線挿通孔３１を広げつつ押し込まれて、対応するキャビティ２１内に挿入され、ランス２２を撓み空間２３に向けて撓み変形させつつ、またリテーナ４０の突起４６で邪魔されることなく押し込まれる。正規位置まで挿入されると、ランス２２が復元変形してアゴ部１５に引っ掛かることで抜け止め状態に一次係止される（図１９参照）。また、ゴム栓３０の電線挿通孔３１の内周面が、そこに通された電線Ｗの外周面に密着する。
【００２６】
すべての雌側端子金具１０のキャビティ２１内への挿入作業が完了したら、各雌側端子金具１０が正規のキャビティ２１内に挿入されているか否かを検査する導通検査が行われる。この導通検査は、リテーナ４０が未だ仮係止位置に組み付けられた状態でコネクタが検査装置にセットされ、図１９に示すように、検査プローブＰをリテーナ４０の前止まり板４１の端子挿入口４４を通して雌側端子金具１０に当てることで行われる。
【００２７】
リテーナ４０が仮係止位置にある場合は、図２０に示すように、前止まり板４１の各端子挿入口４４が左側にずれて、対応するキャビティ２１の前面のうちの左側の領域のみが開口された状態にあるから、端子挿入口４４を通った検査プローブＰは、雌側端子金具１０の接続部１２の前縁の正面から見た左側の縁辺１２Ａに当たることになる。なおこの縁辺１２Ａは、上段の雌側端子金具１０では、図３に示すように、スタビライザ１４が設けられた側の縁辺、下段の雌側端子金具１０では、スタビライザ１４が設けられた側と反対の縁辺となる。
したがって、検査プローブＰが接続部１２内に深く入り込んで接触片１１を過度撓みさせるといったことが回避される。
【００２８】
導通検査が完了したら、コネクタを検査装置から取り外したのち、リテーナ４０を本係止位置に移動させる。具体的には、図２０の状態から、リテーナ４０における前止まり板４１の表面に指を当ててリテーナ４０を同図の右方向に移動させる。リテーナ４０が、図２１に示す本係止位置に移動すると、既述したように本係止突条５３がロック溝５４に嵌まって本係止位置に保持される。本係止突条５３が逃がし溝５５からロック溝５４に乗り越える際に抵抗を受けるが、前止まり板４１の表面にはしぼ面４８が形成されているから、それが引っ掛かりとなって指の滑りが抑えられ、リテーナ４０をスムーズに移動させることができる。
【００２９】
リテーナ４０が本係止位置に移動されると、リテーナ４０の突起４６がキャビティ２１内に進入して、雌側端子金具１０の被係止溝１６に側方から嵌まり、雌側端子金具１０が抜け止め状態に二重係止される。また、前止まり板４１の端子挿入口４４は各キャビティ２１の前面で同心に整合した状態とされる。
上記により、各キャビティ２１の入口側がゴム栓３０によりシールされた雌側の防水コネクタの組み付けが完了する。そして、相手の雄側のコネクタと嵌合すると、雌雄の端子金具同士が接続されるとともに、パッキン３４が雌側のハウジング２０と相手の雄側のハウジングとの間で挟持されて、両ハウジング間がシールされる。
【００３０】
以上説明したように本実施形態によれば、リテーナ４０が仮係止位置にある状態で、リテーナ４０の前止まり板４１の端子挿入口４４から検査プローブＰを差し込んで導通検査を行うようにしており、リテーナ４０が仮係止位置にあるときには、端子挿入口４４がキャビティ２１の正面からずれていて、キャビティ２１内に挿入された雌側端子金具１０の接続部１２の前縁における一部が端子挿入口４４に臨んだ状態にあるから、検査プローブＰが端子挿入口４４に挿入された場合に接続部１２の前縁の一部に突き当たり、接続部１２内に深く入り込むことが規制される。その結果、接触片１１が過度撓みして損傷を受けることが防止される。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態ではリテーナの仮係止位置を検査位置に兼用したが、仮係止位置と本係止位置の間等に、別個に検査位置を設定してもよい。
（２）端子挿入口とは別に検査口を備えてもよい。
【図面の簡単な説明】
【図１】本発明の一実施形態の分解縦断面図
【図２】雌側端子金具の成形時の縦断面図
【図３】その正面図
【図４】ハウジングの側面図
【図５】その平面図
【図６】その平断面図
【図７】その背面図
【図８】その正面図
【図９】その横断面図
【図１０】ゴム栓の正面図
【図１１】リテーナの正面図
【図１２】その背面図
【図１３】フードの正面図
【図１４】その背面図
【図１５】ハウジングとフードとの組み付け前の縦断面図
【図１６】雌側端子金具の挿入前の縦断面図
【図１７】ハウジングとフードとの組み付け後の側面図
【図１８】その背面図
【図１９】導通検査状態を示す縦断面図
【図２０】リテーナが仮係止位置にある場合の正面図
【図２１】リテーナが本係止位置にある場合の正面図
【符号の説明】
１０…雌側端子金具
１１…接触片
１２…接続部
１２Ａ…（接続部１２の）側縁
１６…被係止溝
２０…ハウジング
２１…キャビティ
２２…ランス
２６…リテーナ挿入孔
４０…リテーナ
４１…前止まり板
４４…端子挿入口（検査口）
４６…突起
５２…仮係止突条
５３…本係止突条
５４…ロック溝
Ｐ…検査プローブ（検査棒）
【図１】
0004103333.tif 000002
【図２】
0004103333.tif 000003
【図３】
0004103333.tif 000004
【図４】
0004103333.tif 000005
【図５】
0004103333.tif 000006
【図６】
0004103333.tif 000007
【図７】
0004103333.tif 000008
【図８】
0004103333.tif 000009
【図９】
0004103333.tif 000010
【図１０】
0004103333.tif 000011
【図１１】
0004103333.tif 000012
【図１２】
0004103333.tif 000013
【図１３】
0004103333.tif 000014
【図１４】
0004103333.tif 000015
【図１５】
0004103333.tif 000016
【図１６】
0004103333.tif 000017
【図１７】
0004103333.tif 000018
【図１８】
0004103333.tif 000019
【図１９】
0004103333.tif 000020
【図２０】
0004103333.tif 000021
【図２１】
0004103333.tif 000022